(57)【特許請求の範囲】
【請求項１】
プロセッサと、周囲光センサと、画面とを含む端末であって、
前記周囲光センサと前記画面とはどちらも前記プロセッサに接続されており、
前記周囲光センサの感光素子は前記画面と対面し、前記画面の下面に位置しており、
前記画面が点灯された後、前記プロセッサは、人間の目の視覚的持続時間内に、前記画面の第1の輝度を、第1の閾値を下回る値に調整し、
前記周囲光センサは、人間の目の前記視覚的持続時間内に前記端末の第1の周囲光の輝度を検出する、
端末であって、
前記プロセッサが、前記画面の前記第1の輝度を、前記第1の閾値を下回る前記値に調整することは、具体的には、
前記プロセッサが、前記周囲光センサが位置している画面領域の輝度のみを、前記第1の閾値を下回る値に調整することである、
端末。
【請求項２】
前記プロセッサは、
前記画面の前記第1の輝度を復元し、
前記第1の周囲光の前記輝度に従って前記画面の前記第1の輝度を調整する、
ようにさらに構成される、請求項1に記載の端末。
【請求項３】
前記プロセッサは、
前記第1の周囲光の前記輝度に従って前記画面の前記第1の輝度を調整する、
ようにさらに構成される、請求項1に記載の端末。
【請求項４】
前記周囲光センサが人間の目の前記視覚的持続時間内に前記端末の前記第1の周囲光の前記輝度を検出した後、
前記プロセッサは前記画面の前記第1の輝度を復元し、
前記プロセッサは、前記画面の前記第1の輝度の時間長を第1の事前設定範囲内になるように制御し、
前記プロセッサは、人間の目の前記視覚的持続時間内に前記第1の輝度を前記第1の閾値を下回る値に調整し、
前記周囲光センサは、人間の目の前記視覚的持続時間内に前記端末の第2の周囲光の輝度を検出し、
前記プロセッサは、前記周囲光センサによって検出された前記第1の周囲光の前記輝度および前記第2の周囲光の前記輝度に従って前記画面の前記第1の輝度を調整する、
請求項1に記載の端末。
【請求項５】
前記プロセッサが、前記第1の周囲光の前記輝度に従って前記画面の前記第1の輝度を調整することは、具体的には、
前記第1の周囲光の前記輝度が、周囲光のものでありかつ前記周囲光センサによって最後に検出された輝度より小さい場合、前記プロセッサは、画面タッチ操作があったかどうか検出するようにさらに構成され、
タッチ操作がなかった場合、前記プロセッサが、前記第1の周囲光の前記輝度に従って前記画面の前記第1の輝度を調整すること、
である、請求項2または3に記載の端末。
【請求項６】
前記プロセッサが、前記画面の前記第1の輝度を、前記第1の閾値を下回る前記値に調整
することは、具体的には、
前記画面が有機発光ダイオード画面である場合に、前記プロセッサが、前記有機発光ダイオード画面の輝度を、前記第1の閾値を下回る値に調整すること、
である、請求項1から5のいずれか一項に記載の端末。
【請求項７】
前記端末は、エポキシ樹脂接着層をさらに含み、
前記エポキシ樹脂接着層は前記画面の前記下面に位置しており、前記周囲光センサは、前記エポキシ樹脂接着層の空洞化領域に配置されており、前記画面は有機発光ダイオード画面である、
請求項1から6のいずれか一項に記載の端末。
【請求項８】
プロセッサと、周囲光センサと、画面とを含む端末であって、
前記周囲光センサと前記画面とはどちらも前記プロセッサに接続されており、
前記周囲光センサの感光素子は前記画面と対面し、前記画面の下面に位置しており、
前記画面が点灯された後、前記プロセッサは、人間の目の視覚的持続時間内に画像データを、前記画像データのグレースケール値が第1の閾値以下になるように制御し、
前記周囲光センサは、人間の目の前記視覚的持続時間内に前記端末の第1の周囲光の輝度を検出する、
端末であって、
前記プロセッサが前記画像データを制御することは、具体的には、
前記プロセッサが、前記周囲光センサが位置している画面領域内の画像データのみを制御することである、
端末。
【請求項９】
前記プロセッサが、前記画像データを、前記画像データの前記グレースケール値が前記第1の閾値以下になるように制御することは、具体的には、
前記プロセッサが、前記画面上に表示された画像データを、調整された前記画像データのグレースケール値が前記第1の閾値以下になるように調整すること、
である、請求項8に記載の端末。
【請求項１０】
前記プロセッサが、前記画像データを、前記画像データの前記グレースケール値が前記第1の閾値以下になるように制御することは、具体的には、
前記プロセッサが画像データを挿入し、挿入された前記画像データのグレースケール値が前記第1の閾値以下であること、
である、請求項8に記載の端末。
【請求項１１】
前記プロセッサは、
前記第1の周囲光の前記輝度に従って前記画像データの前記グレースケール値を調整する、
ようにさらに構成される、請求項8から10のいずれか一項に記載の端末。
【請求項１２】
前記プロセッサが、前記第1の周囲光の前記輝度に従って前記画像データの前記グレースケール値を調整することは、具体的には、
前記第1の周囲光の前記輝度が、周囲光のものでありかつ前記周囲光センサによって最後に検出された輝度より小さい場合、前記プロセッサは、画面タッチ操作があったかどうか検出するようにさらに構成され、
タッチ操作がなかった場合、前記プロセッサが、前記第1の周囲光の前記輝度に従って
前記画像データの前記グレースケール値を調整すること、
である、請求項11に記載の端末。
【請求項１３】
前記端末は、エポキシ樹脂接着層をさらに含み、
前記エポキシ樹脂接着層は前記画面の前記下面に位置しており、前記周囲光センサは、前記エポキシ樹脂接着層の空洞化領域に配置されており、前記画面は有機発光ダイオード画面である、
請求項8から12のいずれか一項に記載の端末。
【請求項１４】
周囲光の輝度を検出するための方法であって、
端末の画面が点灯された後、前記端末が、人間の目の視覚的持続時間内に、前記画面の第1の輝度を、第1の閾値を下回る値に調整するステップと、
前記端末の周囲光センサが、人間の目の前記視覚的持続時間内に、前記端末の第1の周囲光の輝度を検出するステップと、
を含む、方法であって、
前記画面の第1の輝度を、前記第1の閾値を下回る値に調整するステップは、具体的には、
前記周囲光センサが位置している画面領域の輝度のみを、前記第1の閾値を下回る値に調整するステップである、
方法。
【請求項１５】
周囲光の輝度を検出するための方法であって、
端末の画面が点灯された後、前記端末が、人間の目の視覚的持続時間内に画像データを、前記画像データのグレースケール値が第1の閾値以下になるように制御するステップと、
前記端末の周囲光センサが、人間の目の前記視覚的持続時間内に、前記端末の第1の周囲光の輝度を検出するステップと、
を含む、方法であって、
前記画像データを制御するステップは、具体的には、
前記周囲光センサが位置している画面領域内の画像データのみを制御するステップである、方法。
【発明の詳細な説明】
【技術分野】
【０００１】
本発明の実施形態は、無線通信分野に関し、特に、端末および周囲光の輝度を検出するための方法に関する。
【背景技術】
【０００２】
光線が変化したときに人間の目に画面コンテンツがよりよく見えるようにするために、携帯電話やウェアラブルデバイスなどの端末は、端末の外部周囲光の輝度を検出するように、周囲光センサ（ALS、ambient light sensor）を含む。周囲光の輝度が変化したことを周囲光センサが検出すると、端末は、周囲光センサの検出結果に従って画面の輝度を調整して、人間の目に画面がよりよく見えるようにする。
【０００３】
周囲光センサが端末で表示画面の下に配置されており、透過光を使用して周囲光変化を検出する場合、周囲光センサの検出結果は、端末の表示画面の内部光線、例えばバックライトや、画面の光線が画面の表面で反射された後に得られる光による影響を受ける。その結果、周囲光センサの検出結果が不正確になる。例えば、端末が明るい場所から暗い場所に移動された場合、端末の表示画面の内部光線の影響により、周囲光センサは周囲光の輝度を正確に検出することができない。
【発明の概要】
【０００４】
本発明の実施形態は、端末の周囲光センサが周囲光の輝度を比較的正確に検出できるように、端末および周囲光の輝度を検出するための方法を提供する。
【課題を解決するための手段】
【０００５】
第1の態様によれば、本発明の一実施形態は、プロセッサと、周囲光センサと、画面とを含む端末を提供し、周囲光センサと画面とはどちらもプロセッサに接続されており、周囲光センサの感光素子は画面と対面し、画面の下面に位置しており、画面が点灯された後、プロセッサは、人間の目の視覚的持続時間内に、画面の第1の輝度を、第1の閾値を下回る値に調整し、周囲光センサは、人間の目の視覚的持続時間内に端末の第1の周囲光の輝度を検出する。
【０００６】
本実施形態の端末は、周囲光センサに入る非周囲光を低減させ、または除去することができ、そのため周囲光センサは周囲光の輝度を比較的正確に検出することができる。
【０００７】
1つの可能な実施態様において、プロセッサは、画面の第1の輝度を復元し、第1の周囲光の輝度に従って画面の第1の輝度を調整する、ようにさらに構成される。
【０００８】
1つの可能な実施態様において、プロセッサは、第1の周囲光の輝度に従って画面の第1の輝度を調整する、ようにさらに構成される。
【０００９】
前述の2つの可能な実施態様では、端末は、周囲光センサの検出結果に従って画面の輝度を調整し、そのため画面の輝度は周囲光変化をより適切に反映することができ、それによってユーザの快適さが改善される。
【００１０】
1つの可能な実施態様において、周囲光センサが人間の目の視覚的持続時間内に端末の第1の周囲光の輝度を検出した後、プロセッサは画面の第1の輝度を復元し、プロセッサは、画面の第1の輝度の時間長を第1の事前設定範囲内になるように制御し、プロセッサは、人間の目の視覚的持続時間内に第1の輝度を第1の閾値を下回る値に調整し、周囲光センサは、人間の目の視覚的持続時間内に端末の第2の周囲光の輝度を検出し、プロセッサは、周囲光センサによって検出された第1の周囲光の輝度および第2の周囲光の輝度に従って画面の第1の輝度を調整する。
【００１１】
画面の第1の輝度が周囲光の輝度の2回の検出の結果に従って調整されるため、第1の輝度はより正確に調整される。
【００１２】
1つの可能な実施態様において、端末はさらに、第1の周囲光の輝度と第2の周囲光の輝度との差を決定し、差が第2の閾値以上である場合、第1の周囲光の輝度を検出するための方法に従って第3の周囲光の輝度を検出し、第3の周囲光の輝度と第2の周囲光の輝度との差が依然として第2の閾値以上である場合、周囲光の輝度の2回の連続した検出の結果の差が第2の閾値以下になるまで周囲光の輝度を検出し続け、画面の第1の輝度は、周囲光の輝度の2回の連続した検出の結果に従って調整される。
【００１３】
周囲光の輝度が、周囲光の輝度の小さい誤差の2回の連続した検出の結果に従って決定されるため、周囲光の輝度の検出結果がより正確になる。
【００１４】
1つの可能な実施態様において、プロセッサが、第1の周囲光の輝度に従って画面の第1の輝度を調整することは、具体的には、第1の周囲光の輝度が、周囲光のものである、周囲光センサによって最後に検出された輝度より小さい場合、プロセッサは、画面タッチ操作があったかどうか検出するようにさらに構成され、タッチ操作がなかった場合、プロセッサが、第1の周囲光の輝度に従って画面の第1の輝度を調整すること、である。
【００１５】
ユーザの画面タッチ操作があったかどうかがさらに判定されるため、検出誤りが低減する。
【００１６】
1つの可能な実施態様において、プロセッサが、画面の第1の輝度を、第1の閾値を下回る値に調整することは、具体的には、画面が有機発光ダイオード（Organic Light−Emitting Diode、OLED）画面である場合に、プロセッサが、OLED画面の輝度を、第1の閾値を下回る値に調整すること、である。
【００１７】
1つの可能な実施態様において、プロセッサが、画面の第1の輝度を、第1の閾値を下回る値に調整することは、具体的には、プロセッサが、周囲光センサが位置している画面領域の輝度を、第1の閾値を下回る値に調整すること、である。
【００１８】
1つの可能な実施態様において、第1の閾値は50cd／cm2である。
【００１９】
1つの可能な実施態様において、端末は、エポキシ樹脂接着層をさらに含み、エポキシ樹脂接着層は画面の下面に位置しており、周囲光センサは、エポキシ樹脂接着層の空洞化領域に配置されており、画面は有機発光ダイオード画面である。
【００２０】
第2の態様によれば、本発明の一実施形態は、プロセッサと、周囲光センサと、画面とを含む端末を提供し、周囲光センサと画面とはどちらもプロセッサに接続されており、周囲光センサの感光素子は画面と対面し、画面の下面に位置しており、画面が点灯された後、プロセッサは、人間の目の視覚的持続時間内に画像データを、制御された画像データのグレースケール値が第1の閾値以下になるように制御し、周囲光センサは、人間の目の視覚的持続時間内に端末の第1の周囲光の輝度を検出する。
【００２１】
本実施形態の端末は、周囲光センサに入る非周囲光を低減させ、または除去することができ、そのため周囲光センサは周囲光の輝度を比較的正確に検出することができる。
【００２２】
1つの可能な実施態様において、プロセッサが、画像データを、制御された画像データのグレースケール値が第1の閾値以下になるように制御することは、具体的には、プロセッサが、画面上に表示された画像データを、調整された画像データのグレースケール値が第1の閾値以下になるように調整すること、である。
【００２３】
1つの可能な実施態様において、プロセッサが、画像データを、制御された画像データのグレースケール値が第1の閾値以下になるように制御することは、具体的には、プロセッサが画像データを挿入し、挿入された画像データのグレースケール値が第1の閾値以下であること、である。
【００２４】
前述の2つの可能な実施態様では、端末は、画像データのグレースケール値が十分に小さくなるように画像データを2つの方法で制御する。これにより、画像データが周囲光センサの検出結果に影響を及ぼすことが防止され、そのため周囲光センサは相対的にリアルな周囲光の輝度を検出することができる。
【００２５】
1つの可能な実施態様において、プロセッサは、第1の周囲光の輝度に従って画像データのグレースケール値を調整するようにさらに構成される。
【００２６】
1つの可能な実施態様において、プロセッサが、第1の周囲光の輝度に従って画像データのグレースケール値を調整することは、具体的には、第1の周囲光の輝度が、周囲光のものである、周囲光センサによって最後に検出された輝度より小さい場合、プロセッサは、画面タッチ操作があったかどうか検出するようにさらに構成され、タッチ操作がなかった場合、プロセッサが、第1の周囲光の輝度に従って画像データのグレースケール値を調整すること、である。
【００２７】
ユーザの画面タッチ操作があったかどうかがさらに判定されるため、検出誤りが低減する。
【００２８】
1つの可能な実施態様において、プロセッサが画像データを制御することは、具体的には、プロセッサが画面領域内のすべての画像データを制御すること、またはプロセッサが、周囲光センサが位置している画面領域内の画像データを制御すること、である。
【００２９】
1つの可能な実施態様において、第1の閾値はRGB（50，50，50）である。
【００３０】
1つの可能な実施態様において、端末は、エポキシ樹脂接着層をさらに含み、エポキシ樹脂接着層は画面の下面に位置しており、周囲光センサは、エポキシ樹脂接着層の空洞化領域に配置されており、画面は有機発光ダイオード画面である。
【００３１】
第3の態様によれば、本発明の一実施形態は周囲光の輝度を検出するための方法を提供し、本方法は、画面が点灯された後、端末が、人間の目の視覚的持続時間内に、画面の第1の輝度を、第1の閾値を下回る値に調整するステップと、端末の周囲光センサが、人間の目の視覚的持続時間内に、端末の第1の周囲光の輝度を検出するステップと、を含む。
【００３２】
1つの可能な実施態様において、端末の周囲光センサが、人間の目の視覚的持続時間内に、端末の第1の周囲光の輝度を検出するステップの後に、本方法は、端末が、画面の第1の輝度を復元するステップと、端末が、第1の周囲光の輝度に従って画面の第1の輝度を調整するステップと、をさらに含む。
【００３３】
1つの可能な実施態様において、端末の周囲光センサが、人間の目の視覚的持続時間内に、端末の第1の周囲光の輝度を検出するステップの後に、本方法は、端末が、第1の周囲光の輝度に従って画面の第1の輝度を調整するステップ、をさらに含む。
【００３４】
1つの可能な実施態様において、端末の周囲光センサが、人間の目の視覚的持続時間内に、端末の第1の周囲光の輝度を検出するステップの後に、本方法は、端末が、画面の第1の輝度を復元するステップと、端末が、画面の第1の輝度の時間長を第1の事前設定範囲内になるように制御するステップと、端末が、人間の目の視覚的持続時間内に、第1の輝度を、第1の閾値を下回る値に調整するステップと、周囲光センサが、人間の目の視覚的持続時間内に端末の第2の周囲光の輝度を検出するステップと、端末が、周囲光センサによって検出された第1の周囲光の輝度および第2の周囲光の輝度に従って画面の第1の輝度を調整するステップと、をさらに含む。
【００３５】
1つの可能な実施態様において、端末が、第1の周囲光の輝度に従って画面の第1の輝度を調整するステップは、具体的には、第1の周囲光の輝度が、周囲光のものである、最後に検出された輝度より小さい場合、端末が、画面タッチ操作があったかどうか検出するステップ、およびタッチ操作がなかった場合、端末が、第1の周囲光の輝度に従って画面の第1の輝度を調整するステップ、である。
【００３６】
1つの可能な実施態様において、端末が、画面の第1の輝度を、第1の閾値を下回る値に調整するステップは、具体的には、画面が有機発光ダイオードOLED画面である場合に、端末が、OLED画面の輝度を、第1の閾値を下回る値に調整するステップ、または画面が液晶ディスプレイLCD画面である場合に、端末が、LCD画面のバックライト輝度を、第1の閾値を下回る値に調整するステップ、である。
【００３７】
1つの可能な実施態様において、端末が、画面の第1の輝度を、第1の閾値を下回る値に調整するステップは、具体的には、端末が、周囲光センサが位置している画面領域の輝度を、第1の閾値を下回る値に調整するステップ、である。
【００３８】
1つの可能な実施態様において、第1の閾値は50cd／cm2である。
【００３９】
第4の態様によれば、本発明の一実施形態は周囲光の輝度を検出するための方法を提供し、本方法は、端末の画面が点灯された後、端末が、人間の目の視覚的持続時間内に画像データを、制御された画像データのグレースケール値が第1の閾値以下になるように制御するステップと、端末の周囲光センサが、人間の目の視覚的持続時間内に、端末の第1の周囲光の輝度を検出するステップと、を含む。
【００４０】
1つの可能な実施態様において、端末が、画像データを、制御された画像データのグレースケール値が第1の閾値以下になるように制御するステップは、具体的には、端末が、画面上に表示された画像データを、調整された画像データのグレースケール値が第1の閾値以下になるように調整するステップ、である。
【００４１】
1つの可能な実施態様において、端末が、画像データを、制御された画像データのグレースケール値が第1の閾値以下になるように制御するステップは、具体的には、端末が画像データを挿入するステップであって、挿入された画像データのグレースケール値が第1の閾値以下である、ステップ、である。
【００４２】
1つの可能な実施態様において、端末の周囲光センサが、端末の第1の周囲光の輝度を検出するステップの後に、本方法は、端末が、第1の周囲光の輝度に従って画像データのグレースケール値を調整するステップ、をさらに含む。
【００４３】
1つの可能な実施態様において、端末が、第1の周囲光の輝度に従って画像データのグレースケール値を調整するステップは、具体的には、第1の周囲光の輝度が、周囲光のものである、周囲光センサによって最後に検出された輝度より小さい場合、端末が、画面タッチ操作があったかどうか検出するステップ、およびタッチ操作がなかった場合、端末が、第1の周囲光の輝度に従って画像データのグレースケール値を調整するステップ、である。
【００４４】
1つの可能な実施態様において、端末が、画像データを制御するステップは、具体的には、端末が、画面領域内のすべての画像データを制御するステップ、または端末が、周囲光センサが位置している画面領域内の画像データを制御するステップ、である。
【００４５】
1つの可能な実施態様において、第1の閾値はRGB（50，50，50）である。
【００４６】
本発明の本実施形態の端末は、周囲光センサに入る非周囲光を除去することができ、そのため周囲光センサはリアルな周囲光の輝度を比較的正確に検出することができる。
【図面の簡単な説明】
【００４７】
【図１】本発明の一実施形態によるウェアラブルデバイスの回路図である。
【図２】本発明の一実施形態によるウェアラブルデバイスの概略構造図である。
【図３】本発明の一実施形態によるウェアラブルデバイスの回路図である。
【図４】本発明の一実施形態によるウェアラブルデバイスが周囲光を検出するための実行時間の概略図である。
【図５】本発明の一実施形態による、画面コンテンツへのほぼ黒い画像データフレームの挿入の概略図である。
【図６】本発明の一実施形態による周囲光の輝度を検出するための方法の概略流れ図である。
【図７】本発明の一実施形態による周囲光の輝度を検出するための別の方法の概略流れ図である。
【発明を実施するための形態】
【００４８】
以下で、本発明の実施形態における添付の図面に関連して、本発明の実施形態における技術的解決策を明確に説明する。明らかに、説明する実施形態は本発明の実施形態の全部ではなく一部にすぎない。本発明の実施形態に基づいて当業者により難なく得られる他のすべての実施形態は、本発明の保護範囲内に含まれるものとする。
【００４９】
本発明の実施形態において「第1」、「第2」などの序数に言及する場合、それらの序数は、順序の意味が文脈に従って決定されるのでない限り、区別のためのものにすぎないと理解されたい。
【００５０】
本発明の実施形態に関与する端末には、ウェアラブルデバイス、携帯電話、タブレットコンピュータ、ノートブックコンピュータ、UMPC（Ultra−mobile Personal Computer、ウルトラモバイル・パーソナル・コンピュータ）、ノートブック、PDA（Personal Digital Assistant、携帯情報端末）などが含まれる。以下では本発明のすべての実施形態を説明するための一例としてウェアラブルデバイスを使用する。
【００５１】
ウェアラブルデバイスの一般的な製品形態には、手首で支持されるwatchクラス（時計、ハンドリング、リストストラップなどを含む）、足で支持されるshoesクラス（靴、ソックス、または脚に装着される他の将来の製品を含む）、頭で支持されるGlassクラス（眼鏡、ヘルメット、ヘッドバンドなどを含む）、スマートクローズ、バッグ、松葉杖、アクセサリーなどが含まれる。本発明の実施形態で提供される周囲光検出方法は、表示画面を含み、ユーザ可視表示機能を有するすべての端末に使用できることが理解されよう。
【００５２】
図1は、本発明の一実施形態によるウェアラブルデバイスの回路図である。図1に示すように、ウェアラブルデバイス100は、プロセッサ110、画面120、周囲光センサ130などの構成要素を含む。ウェアラブルデバイス100は、メモリ140、入力部150、電源160などの構成要素をさらに含むことができる。図1に示すウェアラブルデバイス100の構造はウェアラブルデバイスに対するいかなる限定も構成するものではなく、ウェアラブルデバイス100は、図示の構成要素よりも多い、または少ない構成要素、いくつかの構成要素の組み合わせ、異なる配置の構成要素を含んでいてもよいことが当業者には理解されよう。
【００５３】
以下で、図1に関連してウェアラブルデバイス100のすべての構成要素の具体的な説明を行う。
【００５４】
プロセッサ110は、ウェアラブルデバイス100のコントロールセンタであり、様々なインターフェースおよび配線を使用してウェアラブルデバイス100全体のすべての構成要素に接続されている。メモリ140に格納されたソフトウェアプログラムおよび／またはモジュールを動作させ、または実行し、メモリ140に格納されたデータを呼び出すことによって、プロセッサ110は、ウェアラブルデバイス100の様々な機能を実行し、データを処理して、ウェアラブルデバイス100の全般的モニタリングを行う。プロセッサ110は、アプリケーションプロセッサ、ベースバンドプロセッサ、または一体化されたアプリケーションプロセッサおよびベースバンドプロセッサとすることもでき、またはプロセッサ110は、ベースバンドプロセッサとアプリケーションプロセッサとを含む。アプリケーションプロセッサは、主に、オペレーティングシステム、ユーザインターフェース、アプリケーションプログラムなどを処理する。ベースバンドプロセッサは、データを処理し、格納する役割を担い、主に、ディジタル信号プロセッサ、マイクロコントローラ、メモリなどの構成要素を有し、主に、ベースバンド符号化／復号化、音の符号化、声の符号化などの機能を有する。技術が発展するにつれて、ベースバンドプロセッサは、マルチメディアディスプレイ、イメージセンサ、およびオーディオ機器に使用されるマルチメディア機能および関連インターフェースをさらに提供できるようになっている。
【００５５】
画面120は、ユーザによって入力される情報またはユーザに提供される情報を表示するように構成することもでき、ウェアラブルデバイス100の様々なメニューを表示することもできる。画面120は、表示パネル121を含むことができる。任意選択で、表示パネル121は、液晶ディスプレイ（Liquid Crystal Display、略称LCD）や有機発光ダイオード（Organic Light−Emitting Diode、略称OLED）などの形態で構成されていてもよい。
【００５６】
さらに、入力部150のタッチパネル151が画面120を覆うこともできる。タッチパネル151上またはその近くでタッチ操作を検出した後、タッチパネル151は、タッチ・イベント・タイプを判定するために、Mobile Industry Processor Interface（略称MIPI）を使用してタッチ操作をプロセッサ110に転送することができる。次いで、プロセッサ110は、タッチ・イベント・タイプに従って画面120上で対応する視覚出力を提供する。図1において、タッチパネル151と画面120とは、ウェアラブルデバイス100の入力機能と表示機能とを実施する2つの独立した構成要素として使用されている。しかし、いくつかの実施形態では、タッチパネル151と画面120とは、ウェアラブルデバイス100の入力機能と表示機能とを実施するように一体化されていてもよい。
【００５７】
周囲光センサ130は、周囲光の輝度を検出することができる。ウェアラブルデバイス100は、周囲光の輝度に従って表示パネル121の輝度を調整することができる。さらに、ウェアラブルデバイス100は、光センサ、動きセンサ、密度センサ、指紋センサなどの別のセンサをさらに含んでいてもよい。具体的には、光センサは、周囲光センサ以外のセンサ、例えば、近接センサを含んでいてよく、オブジェクトがウェアラブルデバイス100に接近しており、またはウェアラブルデバイス100と接触しようとしているかどうか検出することができ、そのためウェアラブルデバイス100は、ウェアラブルデバイス100が耳に移動されると、表示パネル141および／またはバックライトをオフにすることができる。動きセンサとして、加速度計センサは、（一般には3軸の）全方向の加速度の値を検出することができ、静止時の重力の値および方向を検出することができ、ウェアラブルデバイス100の姿勢（例えば、ランドスケープモードとポートレートモードの画面切り替えや関連したゲームや磁力計姿勢較正）、振動認識に関連した機能（例えば、歩数計やノック）などを認識するためのアプリケーションに適用することができる。密度センサは、ウェアラブルデバイス100と接触している物体の密度を検出することができる。指紋センサは、ユーザによって入力された指紋を収集するように構成されている。ジャイロスコープ、気圧計、湿度計、温度計、赤外線センサなど、ウェアラブルデバイス100においてさらに構成されうる別のセンサについては、ここでは詳細を述べない。
【００５８】
メモリ140は、ソフトウェアプログラムまたはモジュールを格納するように構成されていてよい。メモリ140に格納されたソフトウェアプログラムまたはモジュールを動作させることによって、プロセッサ110は、ウェアラブルデバイス100の様々な機能アプリケーションを実行し、データを処理する。メモリ140は、主に、プログラム記憶領域とデータ記憶領域とを含むことができる。プログラム記憶領域には、オペレーティングシステム、少なくとも1つの機能（例えば、音声再生機能や画像表示機能）に必要なアプリケーションプログラムなどを格納することができる。データ記憶領域には、ウェアラブルデバイス100の使用に従って作成されたデータ（例えば、オーディオデータや画像データ）などを格納することができる。加えて、メモリ140は、高速ランダム・アクセス・メモリであってもよく、少なくとも1つのディスク記憶装置、フラッシュ・メモリ・デバイス、別の揮発性固体記憶装置などの不揮発性メモリであってもよい。
【００５９】
ウェアラブルデバイス100は、すべての構成要素に電力を供給する電源160（バッテリなど）をさらに含む。電源は、電源管理システムを使用して充放電管理や電力消費管理などの機能を果たすように、電源管理システムを使用してプロセッサ110に論理的に接続することができる。
【００６０】
ウェアラブルデバイス100は、RF（radio frequency、無線周波数）回路170、可聴周波数回路180、WiFi（wireless fidelity、ワイヤレスフィデリティ）モジュール190などをさらに含んでいてよく、ここでは詳細を述べない。
【００６１】
一般に、使用されていないとき、ウェアラブルデバイスは待機モードにあり、画面上には何も表示されない。ユーザが画面上に表示されたコンテンツを閲覧する必要がある場合、端末は画面を点灯するためにトリガされる。ユーザがコンテンツを継続的に閲覧している過程において、ウェアラブルデバイスが移動された後で、外部光の輝度、すなわち、ウェアラブルデバイスの周囲光が変化する場合がある。ユーザが画面コンテンツをよりよく閲覧できるように、ウェアラブルデバイスは、周囲光センサによる周囲光輝度検出の結果に従って画面の輝度を調整する。
【００６２】
第1の実施形態
例として有機発光ダイオードOLED画面を使用する。図2は、本発明の一実施形態によるウェアラブルデバイスの概略構造図である。図2に示すように、画面120は、上面1201と下面1202とを有する。画面の下面1202上にはエポキシ樹脂接着層1203が位置している。エポキシ樹脂接着層1203の空洞化領域1204に周囲光センサ130が配置されている。周囲光センサ130は、FPCフレキシブル基板140上に配置されていてよい。周囲光センサの感光素子1301は、画面120と対面し、画面120の下面1202上に位置している。周囲光センサ130と画面120とはどちらもFPCを使用してプロセッサ110に接続されていてよい。
【００６３】
本実施形態のエポキシ樹脂接着層1203は、例えば、遮光機能を有する遮光エポキシ樹脂接着層や、緩衝機能を有する緩衝エポキシ樹脂接着層や、緩衝機能および遮光機能を有する緩衝遮光エポキシ樹脂接着層など、エポキシ樹脂接着層1203の異なる機能に従って異なる名前を有しうることが理解されよう。エポキシ樹脂接着層は、画面の下面上に接合され、または直接配置されていてよい。すなわち、本実施形態のエポキシ樹脂接着層は不必要に接着性であり、これについては本明細書では限定されない。
【００６４】
周囲光センサ130が周囲光の輝度を検出する場合、検出される周囲光の輝度は、画面を透過して、周囲光センサ130の感光素子1301に送られる外部周囲光の輝度である。したがって、画面表示中に、周囲光センサ130は、画面または画面のバックライトによって発せられる光の影響を受ける。この場合、周囲光センサ130の検出結果は、ウェアラブルデバイスの周囲光の輝度のみならず、画面または画面のバックライトによって発せられた光の輝度も含む。
【００６５】
ウェアラブルデバイスの周囲光のより正確な輝度を得るために、本発明の一実施形態は、プロセッサ110と、周囲光センサ130と、画面120とを含む、ウェアラブルデバイスを提供する。図3は、本発明の本実施形態によるウェアラブルデバイスの回路図である。周囲光センサ130と画面120とはどちらもプロセッサ110に接続されている。当然ながら、プロセッサは、1つのプロセッサであってもよく、複数のプロセッサのセットであってもよい。例えば、プロセッサは、アプリケーションプロセッサとベースバンドプロセッサとを含む。アプリケーションプロセッサとベースバンドプロセッサとは別々に配置されていてもよく、一体化されていてもよく、これについては本発明の本実施形態では限定されない。本実施形態では、プロセッサは、アプリケーションプロセッサであってよい。周囲光センサ130と画面120とはどちらもプロセッサ110に直接接続されていても、間接的に接続されていてもよく、これについては本発明の本実施形態では限定されないことが理解されよう。
【００６６】
本発明の本実施形態で提供されるウェアラブルデバイスの画面が点灯された後、プロセッサは、人間の目の視覚的持続時間内に、画面の第1の輝度を、第1の閾値を下回る値に調整する。周囲光センサは、人間の目の視覚的持続時間内にウェアラブルデバイスの第1の周囲光の輝度を検出する。
【００６７】
物体が人間の目に見えるとき、物体は網膜に結像され、視神経を使用して脳に入力されて、人間の目が物体の像を知覚する。人間の目の視覚的持続時間とは、物体に対する視神経の印象が即時には消えず、物体の除去後約1／24秒間続くことを意味する。この1／24秒（s）という時間が、人間の目の視覚的持続時間である。すなわち、画像が現れ、または消えた後40ミリ秒（ms）以内には、物体に対する視神経の印象が消えず、したがって、人間の目による画像の認識が影響を受けない。したがって、人間の目の視覚的持続時間は1／24秒または40msとすることができる。
【００６８】
画面の輝度の第1の閾値とは、輝度が輝度閾値を下回る場合には、画面またはバックライトによって発せられた光が周囲光センサ130にほとんど入らないことを意味する。輝度が輝度閾値を下回る場合、周囲光センサ130は相対的にリアルな周囲光の輝度を検出することができる。この場合には、周囲光センサ130に入りうる非周囲光の輝度はほぼゼロである。第1の閾値は、50カンデラ／平方メートル（cd／m2）とすることができる。プロセッサが、画面の第1の輝度を、第1の閾値を下回る値に調整することは、プロセッサが、画面の第1の輝度を50cd／m2に調整すること、またはプロセッサが、画面の第1の輝度を40cd／m2に調整すること、であってよい。第1の閾値を下回る値は第1の閾値を含むことが分かる。加えて、第1の閾値は、実際の事例に従って設定されてもよい。
【００６９】
画面の第1の輝度は、一般に、画面が点灯されているときの画面の輝度をいう。
【００７０】
代替として、画面120はLCD画面であってもよい。OLED画面の発光原理とLCD画面の発光原理は異なるため、プロセッサ110が、画面120の第1の輝度を、第1の閾値を下回る値に調整することは、異なる画面では異なる処理方法を含みうる。例は以下のとおりである。
【００７１】
画面120がOLED画面である場合、プロセッサ110は、OLED画面の輝度を、第1の閾値を下回る値に調整する。OLEDは自己発光方式で表示するため、OLEDの輝度は、プロセッサにより、OLED内の輝度調整レジスタを制御することによって調整される。この場合、画面の輝度が第1の閾値を下回る値に調整されるときに、プロセッサ、例えばアプリケーションプロセッサは、画面の輝度が第1の閾値以下になるように、輝度調整レジスタを制御することによって画面の輝度を直接調整することができる。
【００７２】
画面120がLCD画面である場合、プロセッサ110は、LCD画面のバックライト輝度を、第1の閾値を下回る値に調整する。LCD画面はバックライトを使用して照明されるため、画面の輝度が第1の閾値を下回る値に調整されるときに、プロセッサ、例えばアプリケーションプロセッサは、画面の輝度が第1の閾値以下になるようにバックライト輝度を調整することができる。
【００７３】
さらに、本発明の本実施形態では、プロセッサ110が、画面120の第1の輝度を、第1の閾値を下回る値に調整することは、画面全体の輝度を第1の閾値を下回る値に調整することを含むのみならず、周囲光センサ130が検出を行うときに、周囲光センサの感光素子に入る輝度が画面または画面のバックライトによって発せられる光の影響を受けないことが保証されるならば、周囲光センサ130が位置している画面領域の輝度を第1の閾値を下回る値に調整することも含んでいてよい。
【００７４】
本発明の本実施形態では、画面の輝度は、画面が点灯されているときの第1の輝度とすることができる。プロセッサが、人間の目の視覚的持続時間内に、画面の第1の輝度を、第1の閾値を下回る値に調整すると、周囲光センサは、ウェアラブルデバイスが位置している環境の周囲光の輝度の検出を完了する。
【００７５】
すなわち、画面が点灯された後、プロセッサが、画面の輝度を、バックライトなどの画面の内部光線や画面によって発せられた光線を無視できるように過度に小さい値に調整したときに、周囲光が検出される。これにより、周囲光センサに入る光線がリアルな周囲光であるよう保証することができる。加えて、人間の目に見える画面に影響を与えないように、画面の輝度を第1の閾値を下回る値に調整するプロセスと、周囲光センサが、ウェアラブルデバイスの周囲光の輝度を検出するプロセスとの2つプロセスは、人間の目の視覚的持続時間内に完了される必要がある。本発明の本実施形態では、このようにして、ウェアラブルデバイスの画面が画面コンテンツを表示するために点灯されるプロセスにおいて、周囲光センサに入る非周囲光を人間の目によって知覚されずに除去することができ、そのため周囲光センサは周囲光の輝度を比較的正確に検出することができる。
【００７６】
さらに、本発明の本実施形態のウェアラブルデバイスによれば、周囲光センサが人間の目の視覚的持続時間内にウェアラブルデバイスの第1の周囲光の輝度を検出した後、プロセッサは、第1の周囲光の輝度に従って画面の第1の輝度を調整するようにさらに構成される。
【００７７】
具体的には、周囲光センサ130が第1の周囲光の輝度の検出を完了した後、プロセッサ110は、周囲光センサ130の検出結果に従って画面の第1の輝度を調整することができ、そのため画面の輝度は、周囲光のものである、周囲光センサ130によって検出された輝度に対応する第2の輝度に調整される。このようにして、周囲光センサ130は1回の検出を完了し、プロセッサは画面の輝度の1回の調整を完了する。
【００７８】
周囲光のものである、周囲光センサ130によって検出された輝度が1回の検出で変化しない場合、プロセッサ110による画面の輝度の調整の大きさはゼロとしうることに留意されたい。周囲光のものである、周囲光センサによって最後に検出された輝度が、周囲光の最後の輝度より大きい場合、プロセッサは、周囲光の輝度と画面の輝度との間の対応関係に従って、画面の輝度をより大きい値に調整することができる。周囲光のものである、周囲光センサによって最後に検出された輝度が、周囲光の最後の輝度より小さい場合、プロセッサは、周囲光の輝度と画面の輝度との間の対応関係に従って、画面の輝度をより小さい値に調整することができる。周囲光の輝度と画面の輝度との間の対応関係は、試験によって取得されてもよく、継続的学習によって取得されてもよい。この対応関係は事前に端末に格納されてよい。
【００７９】
ウェアラブルデバイスが常に画面オン状態にある場合、ウェアラブルデバイスが位置している環境の周囲光の輝度は、第1の所定のサイクルで継続的に検出されうることに留意されたい。第1の所定のサイクルは、例えば、1秒以上、2秒以下とすることができる。すなわち、第1の所定のサイクルで、人間の目の視覚的持続時間内に、画面の輝度が第1の閾値を下回る値に調整され、周囲光の輝度が検出され、画面の輝度が、周囲光の検出された輝度に従って調整され、そのためプロセッサ110は、人間の目に快適に見えるように、周囲光の輝度に従って画面の輝度を調整することができる。
【００８０】
任意選択で、周囲光センサ130が人間の目の視覚的持続時間内にウェアラブルデバイスの第1の周囲光の輝度を検出した後、プロセッサ110は、まず、画面120の第1の輝度を復元し、次いで、第1の周囲光の輝度に従って画面の第1の輝度を調整してもよい。当然ながら、上述のように、代替として、プロセッサ110は、第1の周囲光の輝度に従って画面の第1の輝度を直接調整してもよい。
【００８１】
プロセッサ110が画面120の第1の輝度を、第1の閾値を下回る値に調整するプロセスと、周囲光センサ130が周囲光の輝度の検出を完了するプロセスとの間の時間長が、人間の目の視覚的持続時間より短い場合、プロセッサは、周囲光センサが周囲光の輝度の検出を完了した直後に画面の第1の輝度を復元しうることが理解されよう。プロセッサは、代替として、人間の目の視覚的持続時間が終了したときに画面の第1の輝度を復元してもよい。画面の第1の輝度が復元された後、プロセッサは、周囲光センサの検出結果に従って画面の第1の輝度を調整する。
【００８２】
画面の輝度は、周囲光センサの検出結果に従って調整され、そのため画面の輝度は周囲光変化をより適切に反映することができ、それによってユーザの快適さが改善される。
【００８３】
以下では、図4に関連して、周囲光センサがウェアラブルデバイスの周囲光を検出するプロセスについて説明する。図4は、本発明の一実施形態によるウェアラブルデバイスが周囲光を検出するための実行時間の概略図である。
【００８４】
瞬間t1で、ウェアラブルデバイスの画面が点灯される。輝度は、第1の輝度、すなわち、画面が点灯されたときの画面の輝度とすることができる。
【００８５】
プロセッサ、例えばアプリケーションプロセッサは、瞬間t2で画面の輝度の調整を開始する。
【００８６】
t2とt3との間の期間内に、プロセッサはまず、画面の輝度を、40cd／cm2、すなわち、第1の閾値を下回る値に調整する。画面がその輝度未満であるときには、画面の輝度は無視されてよく、周囲光センサに及ぼす影響も無視されてよい。その輝度未満で、周囲光センサはウェアラブルデバイスの周囲光の測定を開始する。プロセッサによって送られた検出実行コマンドを受け取った後、周囲光センサは、ウェアラブルデバイスの周囲光を測定し、検出結果を取得する。ウェアラブルデバイスの周囲光の輝度の測定を完了した後、周囲光センサは第1の周囲光の測定輝度をプロセッサにフィードバックする。t2とt3との間の期間の時間長は人間の目の視覚的持続時間以下であり、好ましくは、10〜30ミリ秒とすることができる。すなわち、プロセッサが、画面の輝度を第1の閾値を下回る値に調整するプロセスと、周囲光センサが、ウェアラブルデバイスの周囲光を検出するプロセスの両方が、t2とt3との間の期間内に完了される。
【００８７】
周囲光センサによってフィードバックされた検出完了メッセージを受け取った後、プロセッサはまず、瞬間t3で画面の第1の輝度を復元することができる。
【００８８】
t3とt4との間の期間内に、プロセッサは、事前設定された対応関係表を探索することによって、または別の方法で、第1の周囲光の検出された輝度に従って、画面のものであり、第1の周囲光の輝度に対応する輝度を計算または取得し、瞬間t4で、画面のものであり、第1の周囲光の輝度に対応する輝度を調整することができる。
【００８９】
任意選択で、プロセッサが、事前設定された対応関係表を探索することによって、または別の方法で、第1の周囲光の検出された輝度に従って、画面のものであり、第1の周囲光の輝度に対応する輝度を計算または取得するプロセスは、t2とt3との間の期間内に完了されてもよい。この場合には、プロセッサは、画面のものであり、第1の周囲光の輝度に対応する取得された輝度に従って、瞬間t3に画面の輝度を調整する。
【００９０】
本発明の本実施形態のウェアラブルデバイスによれば、t1とt3との間またはt1とt4との間の期間の時間長が第1の所定のサイクルとして使用されてよく、プロセッサは、瞬間t3または瞬間t4に画面の輝度の調整を完了する。理解されるように、第1の所定のサイクルで、ウェアラブルデバイスは、ウェアラブルデバイスが位置している環境が変化したときに周囲光センサが環境変化を適時に検出でき、プロセッサが周囲光センサの検出結果に従って画面の輝度を適時に調整できるように、前述のウェアラブルデバイスの周囲光の輝度の検出を繰り返すことができる。
【００９１】
周囲光センサは画面から送られる周囲光を検出するため、ユーザが指で画面を操作した場合、周囲光センサに送られる周囲光は影響を受けることに留意されたい。結果として、周囲光センサによる検出が不正確になる。
【００９２】
そうした操作によってもたらされる検出誤りを回避するために、本発明の本実施形態では、プロセッサが、第1の周囲光の輝度に従って画面の第1の輝度を調整することは、具体的には、
第1の周囲光の輝度が、周囲光のものである、周囲光センサ130によって最後に検出された輝度より小さい場合、プロセッサ110は、画面タッチ操作があったかどうか検出するようにさらに構成され、タッチ操作がなかった場合、プロセッサが、第1の周囲光の輝度に従って画面の第1の輝度を調整すること、とすることができる。
【００９３】
すなわち、第1の周囲光の輝度が、周囲光のものである、最後に検出された輝度より小さいことは、ユーザの画面タッチ操作によって生じる可能性がある。この場合には、プロセッサ110は、画面タッチ操作があったかどうか判定するようにさらに構成される。画面タッチ操作がなかった場合、それは検出が正確であることを指示しており、プロセッサは、第1の周囲光の検出された輝度に従って画面の輝度を調整することができる。画面タッチ操作があった場合、それは、検出結果がユーザの画面タッチ操作による影響を受けた可能性があることを指示しており、したがって、この検出結果は破棄され、画面の輝度の調整の大きさをゼロとすることができる。画面タッチ操作があったかどうか判定する動作は、先行技術を使用して行われてよく、ここでは詳細を述べない。
【００９４】
ユーザの画面タッチ操作があったかどうかがさらに判定されるため、検出誤りが低減する。
【００９５】
任意選択で、本発明の本実施形態のウェアラブルデバイスによれば、周囲光センサ130が人間の目の視覚的持続時間内にウェアラブルデバイスの第1の周囲光の輝度を検出した後、プロセッサ110は、画面120の第1の輝度を復元することができ、プロセッサ110は、画面120の第1の輝度の時間長を第1の事前設定範囲内になるように制御し、プロセッサは、人間の目の視覚的持続時間内に第1の輝度を第1の閾値を下回る値に調整し、周囲光センサ130は、人間の目の視覚的持続時間内にウェアラブルデバイスの第2の周囲光の輝度を検出し、プロセッサは、周囲光センサによって検出された第1の周囲光の輝度および第2の周囲光の輝度に従って画面の第1の輝度を調整する。
【００９６】
具体的には、周囲光センサ130が第1の周囲光の輝度の検出を完了した後、プロセッサ110は、第1の周囲光の検出結果を記録し、画面120の第1の輝度を格納する。画面が第1の輝度に復元された後、画面は、人間の目に画面コンテンツが見えるようにするために、ある期間にわたって第1の輝度未満で表示し、次いで、周囲光の輝度を検出するプロセスが再度実行される。すなわち、人間の目の視覚的持続時間内に、画面の第1の輝度が第1の閾値を下回る値に調整され、周囲光センサは、第2の周囲光の輝度を取得するために第2の周囲光の輝度を検出する。この場合には、プロセッサは、第1の周囲光の輝度および第2の周囲光の輝度に従ってウェアラブルデバイスの周囲光の輝度を決定し、プロセッサは、決定された周囲光の輝度に従って画面の第1の輝度を調整する。
【００９７】
プロセッサが、第1の周囲光の輝度および第2の周囲光の輝度に従ってウェアラブルデバイスの周囲光の輝度を決定することは、例えば、プロセッサが、決定されたウェアラブルデバイスの周囲光の輝度として、第1の周囲光の輝度と第2の周囲光の輝度とを平均した後で得られる結果を使用することであってもよい。その場合プロセッサは、決定された周囲光の輝度に従って画面の第1の輝度を調整することができる。
【００９８】
続いて検出される第2の周囲光の輝度および第1の周囲光の輝度が同じ周囲光条件で取得されるようにするために、画面コンテンツの表示の時間長を第1の事前設定範囲内になるように制御する必要がある。第1の事前設定範囲とは、その範囲内の画面オン時間長で、ユーザが確実に画面コンテンツを取得できる時間長範囲をいう。画面の復元された第1の輝度の時間長が第1の事前設定範囲より短い場合、画面の輝度は、第1の閾値を下回る値に再度調整される。人間の目の視覚的持続時間が原因で、ユーザは依然として、画面の輝度が第1の閾値を下回り、画面がほぼ空白である視覚状態にある可能性があり、ユーザによる画面コンテンツの取得が影響を受ける。したがって、本発明の本実施形態では、第1の事前設定範囲は、例えば、2×人間の目の視覚的持続時間≦第1の事前設定範囲≦1秒、という条件を満たす。
【００９９】
簡単に言うと、人間の目の視覚的持続時間内に、画面の第1の輝度は第1の閾値を下回る値に調整され、周囲光センサ130は第1の周囲光の輝度を検出する。プロセッサ110は画面120の第1の輝度を復元し、人間の目が画面コンテンツを取得できる時間長にわたって第1の輝度を保持する。次いで、プロセッサが、人間の目の視覚的持続時間内に、画面の第1の輝度を、第1の閾値を下回る値に調整した後、周囲光センサは第2の周囲光の輝度を検出する。このようにして、プロセッサは、周囲光センサによって検出された第1の周囲光の輝度および第2の周囲光の輝度に従って画面の第1の輝度を調整する。
【０１００】
ウェアラブルデバイスの周囲光の輝度が、周囲光の輝度の2回の検出の結果を使用して決定されるため、検出結果はより正確になる。
【０１０１】
検出結果の正確さをさらに向上させるために、本発明の本実施形態ではウェアラブルデバイスの周囲光の輝度を取得する以下の技術的解決策をさらに使用する。
【０１０２】
周囲光センサが第1の周囲光の輝度の検出を完了した後、プロセッサは、第1の周囲光の輝度の検出結果を記録し、プロセッサは画面の第1の輝度を復元し、第1の事前設定範囲、例えば1／6秒にわたって第1の輝度を保持し、次いで、周囲光の輝度を検出するプロセスを再度、すなわち、人間の目の視覚的持続時間内に実行し、画面の第1の輝度は第1の閾値を下回る値に調整され、周囲光センサは、第2の周囲光の輝度を取得するために第2の周囲光の輝度を検出する。第1の周囲光の輝度と第2の周囲光の輝度との差が第2の閾値、例えば50cd／m2以上である場合、第1の周囲光の輝度または第2の周囲光の輝度の少なくとも一方が不正確であるとみなされ、前の検出結果、すなわち、第1の周囲光の輝度の検出結果が破棄される。第3の周囲光の輝度が、第1の周囲光の輝度を検出する方法に従って、すなわち、人間の目の視覚的持続時間内に検出され、画面の第1の輝度は第1の閾値を下回る値に調整され、周囲光センサは、第3の周囲光の輝度を取得するために周囲光の輝度を検出する。第2の周囲光の輝度と第3の周囲光の輝度との差が依然として第2の閾値以上である場合、周囲光の輝度の2回の連続した検出の結果の差が第2の閾値未満になるまで周囲光を検出するステップが繰り返され、ウェアラブルデバイスの周囲光の輝度は、周囲光の輝度の2回の連続した検出の結果に従って決定される。例えば、周囲光の輝度は、周囲光の輝度の2回の連続した検出の結果が平均化される方法で決定されてもよい。プロセッサは、最終的に決定された周囲光の輝度に従って画面の第1の輝度を調整する。
【０１０３】
周囲光の輝度が、周囲光の輝度の小さい誤差の2回の連続した検出の結果に従って決定されるため、周囲光の輝度の検出結果がより正確になる。
【０１０４】
第2の実施形態
図2および図3を参照すると、本発明の第2の実施形態はウェアラブルデバイスをさらに提供する。本ウェアラブルデバイスは、プロセッサ110と、周囲光センサ130と、画面120とを含む。周囲光センサ130と画面120とはどちらもプロセッサ110に接続されている。周囲光センサ130の感光素子は画面と対面し、画面の下面に位置している。画面120が点灯された後、プロセッサ110は、人間の目の視覚的持続時間内に画像データを、制御された画像データのグレースケール値が第1の閾値以下になるように制御し、周囲光センサ130は、人間の目の視覚的持続時間内にウェアラブルデバイスの第1の周囲光の輝度を検出する。
【０１０５】
具体的には、ウェアラブルデバイスはFPCフレキシブル基板140を含んでいてよく、周囲光センサ130は、FPCフレキシブル基板140上に配置されていてよく、周囲光センサ130はFPCフレキシブル基板140を使用してプロセッサ110に接続されていてよい。任意選択で、画面120もFPCフレキシブル基板を使用してプロセッサ110に接続されていてよい。画面120をプロセッサ110に接続するためのFPCフレキシブル基板は、周囲光センサ130をプロセッサ110に接続するためのFPCフレキシブル基板140と同じであっても、異なっていてもよく、これについては本実施形態では限定されない。
【０１０６】
理解されるように、周囲光センサと画面とはどちらもプロセッサに直接接続されていても、間接的に接続されていてもよい。当然ながら、プロセッサは、1つのプロセッサであってもよく、複数のプロセッサのセットであってもよい。例えば、プロセッサは、アプリケーションプロセッサとベースバンドプロセッサとを含む。アプリケーションプロセッサとベースバンドプロセッサとは別々に配置されていてもよく、一体化されていてもよく、これについては本発明の本実施形態では限定されない。本実施形態では、プロセッサは、アプリケーションプロセッサであってよい。
【０１０７】
さらに図2を参照すると、端末は、エポキシ樹脂接着層1203をさらに含んでいてよい。エポキシ樹脂接着層1203は画面の下面1202上に位置しており、周囲光センサ130はエポキシ樹脂接着層1203の空洞化領域1204に配置されており、画面は有機発光ダイオードOLED画面であってよい。
【０１０８】
本実施形態のエポキシ樹脂接着層1203は、例えば、遮光機能を有する遮光エポキシ樹脂接着層や、緩衝機能を有する緩衝エポキシ樹脂接着層や、緩衝機能および遮光機能を有する緩衝遮光エポキシ樹脂接着層など、エポキシ樹脂接着層1203の異なる機能に従って異なる名前を有しうる。エポキシ樹脂接着層は、画面の下面上に接合され、または直接配置されていてよい。すなわち、本実施形態のエポキシ樹脂接着層は不必要に接着性であり、これについては本明細書では限定されない。
【０１０９】
さらに、プロセッサが、画像データを、制御された画像データのグレースケール値が第1の閾値以下になるように制御する具体的な方法は、例えば、
プロセッサが、画面上に表示された画像データを、調整された画像データのグレースケール値が第1の閾値以下になるように調整すること、であってもよい。
【０１１０】
具体的には、プロセッサは、画面上に表示されている画像データを、現在の画像データのグレースケール値が低減され、第1の閾値以下になるように調整することができる。
【０１１１】
あるいは、プロセッサが、画像データを、制御された画像データのグレースケール値が第1の閾値以下になるように制御する具体的な方法は、
プロセッサが画像データを挿入することであって、挿入された画像データのグレースケール値は第1の閾値以下であること、であってもよい。
【０１１２】
具体的には、プロセッサは、現在の画面上に表示されている画像データに新しい画像データを挿入する。新しい画像データのグレースケール値は第1の閾値以下である。この場合には、表示されている画像データは新しい画像データによって上書きされる。
【０１１３】
本実施形態の第1の閾値は第1の実施形態の第1の閾値とは異なることに留意されたい。
【０１１４】
画像データのグレースケール値が第1の閾値を下回ることは、画像データが完全に黒いか、ほぼ黒いことを意味する。例えば、第1の閾値はRGB（50，50，50）である。画像データのR、G、Bのグレースケール値がすべて50以下である場合、画像データはほぼ黒いとみなすことができる。この場合には、周囲光センサに入ることができる画面の内部光線はほぼゼロである。人間の目には、画面もほぼ黒く見える。
【０１１５】
以下では、挿入された画像データのグレースケール値が第1の閾値以下である例を使用して簡単な説明を行う。図5は、本発明の本実施形態における、画面上に表示されたコンテンツへのほぼ黒い画像データフレームの挿入の概略図である。図5に示すように、画像データのフレームが表示された後で、ほぼ黒い画像が挿入される。表示されている画像データはほぼ黒い画像のフレームによって上書きされうる。人間の目には依然として前の画像データのフレームが見えているため、人間の目に見える画面上に表示されたコンテンツは影響されない。周囲光センサ130は、人間の目の視覚的持続時間内にウェアラブルデバイスの周囲光の輝度の検出を完了する。
【０１１６】
画像データは画像フレームであってよい。周囲光センサ130が検出を、人間の目の視覚的持続時間内に、挿入されたほぼ黒い画像フレームの時間内に完了できるかどうかについて、本発明の本実施形態では、ウェアラブルデバイスは、画像フレームの数に従って、挿入されるほぼ黒い画像フレームの数を調整することができる。挿入されるほぼ黒い画像フレームの総時間長が人間の目の視覚的持続時間未満であるならば、周囲光センサは、期間内に周囲光の輝度の検出を完了することができる。
【０１１７】
さらに、プロセッサは、第1の周囲光の輝度に従って画像データのグレースケール値を調整するようにさらに構成される。
【０１１８】
プロセッサが、第1の周囲光の輝度に従って画像データのグレースケール値を調整することは、具体的には、
第1の周囲光の輝度が、周囲光のものである、周囲光センサによって最後に検出された輝度より小さい場合、プロセッサは、画面タッチ操作があったかどうか検出するようにさらに構成され、
タッチ操作がなかった場合、プロセッサが、第1の周囲光の輝度に従って画像データのグレースケール値を調整すること、であってよい。
【０１１９】
プロセッサが画像データを制御することは、具体的には、
プロセッサが、画面領域内のすべての画像データ、または周囲光センサが位置している画面領域内の画像データを制御すること、である。
【０１２０】
本発明の本実施形態の別のウェアラブルデバイスの画面が点灯された後、プロセッサが、人間の目の視覚的持続時間内に画像データを、制御された画像データのグレースケール値が十分に小さくなるように制御する場合、画面の内部光線を無視することができ、周囲光センサは周囲光の輝度の検出を完了する。これにより、周囲光センサに入る光線がリアルな周囲光であるよう保証される。人間の目に見える画面コンテンツに影響を与えないように、プロセッサが、画像データを、制御された画像データのグレースケール値が第1の閾値以下になるように制御するプロセス、および周囲光センサがウェアラブルデバイスの周囲光の輝度を検出するプロセスは、人間の目の1つの視覚的持続時間内に完了される必要があることに留意されたい。このようにして、本発明の本実施形態の別のウェアラブルデバイスの画面が画面コンテンツを表示するために点灯されるプロセスでは、周囲光センサに入る非周囲光が人間の目によって知覚されずに除去され、そのため周囲光センサは相対的にリアルな周囲光の輝度を検出することができる。
【０１２１】
本発明の一実施形態は、前述の端末実施形態において周囲光の輝度を検出するための対応する方法をさらに提供する。
【０１２２】
本発明の第1の実施形態のウェアラブルデバイスに対応して、図6は、本発明の一実施形態による周囲光の輝度を検出するための方法概略流れ図である。図6に示すように、本方法は以下のステップを含む。
【０１２３】
ステップ601：画面が点灯された後、端末は、人間の目の視覚的持続時間内に、画面の第1の輝度を、第1の閾値を下回る値に調整する。
【０１２４】
具体的には、画面は有機発光ダイオードOLED画面であってよく、端末は、OLED画面の輝度を、第1の閾値を下回る値に調整し、または
画面が液晶ディスプレイLCD画面である場合に、端末は、LCD画面のバックライト輝度を、第1の閾値を下回る値に調整する。
【０１２５】
さらに、端末は、画面全体の第1の輝度の値を第1の閾値を下回る値に調整するのみならず、周囲光センサが位置している画面領域の輝度を第1の閾値を下回る値に調整することもできる。
【０１２６】
第1の閾値は50cd／cm2であってよい。
【０１２７】
ステップ602：端末の周囲光センサが、人間の目の視覚的持続時間内に、端末の第1の周囲光の輝度を検出する。
【０１２８】
本発明の本実施形態では、画面が点灯されると、画面の第1の輝度は、人間の目の視覚的持続時間内に、第1の閾値を下回る値に調整される。この場合には、周囲光センサは、ウェアラブルデバイスが位置している環境の周囲光の輝度の検出を完了する。このようにして、ウェアラブルデバイスの画面が画面コンテンツを表示するために点灯されるプロセスにおいて、周囲光センサに入る非周囲光を人間の目によって知覚されずに除去することができ、そのため周囲光センサは相対的にリアルな周囲光の輝度を検出することができる。
【０１２９】
さらに、ステップ602の後に、本方法は以下のステップをさらに含むことができる。
【０１３０】
ステップ603：端末は、画面の第1の輝度を復元し、端末は、第1の周囲光の輝度に従って画面の第1の輝度を調整する。
【０１３１】
具体的には、端末が、第1の周囲光の輝度に従って画面の第1の輝度を調整することは、具体的には、第1の周囲光の輝度が、周囲光のものである、最後に検出された輝度より小さい場合、端末は、画面タッチ操作があったかどうか検出し、
タッチ操作がなかった場合、端末が、第1の周囲光の輝度に従って画面の第1の輝度を調整すること、である。
【０１３２】
ステップ602の後に、本方法は、ステップ603の代替として以下のステップをさらに含むことができる。
【０１３３】
ステップ604：端末は、第1の周囲光の輝度に従って画面の第1の輝度を調整する。
【０１３４】
具体的には、端末が、第1の周囲光の輝度に従って画面の第1の輝度を調整することは、具体的には、第1の周囲光の輝度が、周囲光のものである、最後に検出された輝度より小さい場合、端末は、画面タッチ操作があったかどうか検出し、
タッチ操作がなかった場合、端末が、第1の周囲光の輝度に従って画面の第1の輝度を調整すること、である。
【０１３５】
ユーザの画面タッチ操作があったかどうかがさらに判定されるため、検出誤りが低減する。
【０１３６】
ステップ602の後に、本方法は、ステップ603またはステップ604の代替としてステップ605からステップ609をさらに含むことができる。
【０１３７】
ステップ605：端末は画面の第1の輝度を復元する。
【０１３８】
ステップ606：端末は、画面の第1の輝度の時間長を第1の事前設定範囲内になるように制御する。
【０１３９】
第1の事前設定範囲とは、その範囲内の画面オン時間長で、ユーザが確実に画面コンテンツを取得できる時間長範囲をいう。第1の事前設定範囲は、例えば、2×人間の目の視覚的持続時間≦第1の事前設定範囲≦1秒、という条件を満たす。
【０１４０】
ステップ607：端末は、人間の目の視覚的持続時間内に、第1の輝度を、第1の閾値を下回る値に調整する。
【０１４１】
ステップ608：周囲光センサは、人間の目の視覚的持続時間内に端末の第2の周囲光の輝度を検出する。
【０１４２】
ステップ609：端末は、周囲光センサによって検出された第1の周囲光の輝度および第2の周囲光の輝度に従って画面の第1の輝度を調整する。
【０１４３】
第1の周囲光の輝度および第2の周囲光の輝度に従って画面の第1の輝度を調整する方法は、第1の実施形態に示す端末の調整方法と同じであり、ここでは詳細を繰り返さない。
【０１４４】
周囲光の輝度が、周囲光の輝度の小さい誤差の2回の連続した検出の結果に従って決定されるため、周囲光の輝度の検出結果がより正確になる。
【０１４５】
本発明の第2の実施形態のウェアラブルデバイスに対応して、図7は、本発明の一実施形態による周囲光の輝度を検出するための別の方法の概略流れ図である。図7に示すように、本方法は以下のステップを含む。
【０１４６】
ステップ701：画面が点灯された後、端末は、人間の目の視覚的持続時間内に画像データを、制御された画像データのグレースケール値が第1の閾値以下になるように制御する。
【０１４７】
さらに、端末は、画面領域内のすべての画像データを制御するのみならず、周囲光センサが位置している画面領域内の画像データを制御することもできる。
【０１４８】
第1の閾値はRGB（50，50，50）である。
【０１４９】
ステップ702：端末の周囲光センサが、人間の目の視覚的持続時間内に、端末の第1の周囲光の輝度を検出する。
【０１５０】
さらに、ステップ702の後に、本方法は、ステップ703をさらに含むことができる。
【０１５１】
ステップ703：端末は、第1の周囲光の輝度に従って画像データのグレースケール値を調整する。
【０１５２】
端末が、第1の周囲光の輝度に従って画像データのグレースケール値を調整することは、具体的には、第1の周囲光の輝度が、周囲光のものである、周囲光センサによって最後に検出された輝度より小さい場合、端末は、画面タッチ操作があったかどうか検出し、タッチ操作がなかった場合、端末が、第1の周囲光の輝度に従って画像データのグレースケール値を調整すること、である。
【０１５３】
本発明の本実施形態では、画面が点灯されると、画像データは、人間の目の視覚的持続時間内に、制御された画像データのグレースケール値が第1の閾値以下になるように制御される。この場合には、周囲光センサは、ウェアラブルデバイスの周囲光の輝度の検出を完了する。このようにして、ウェアラブルデバイスの画面が画面コンテンツを表示するために点灯されるプロセスにおいて、周囲光センサに入る非周囲光を人間の目によって知覚されずに除去することができ、そのため周囲光センサは相対的にリアルな周囲光の輝度を検出することができる。
【０１５４】
以上の実施態様の説明によれば、当業者は、本発明が、ハードウェア、またはソフトウェアとハードウェアの組み合わせによって実現されうることを明確に理解することができる。ソフトウェアはコンピュータ可読記憶媒体に格納されていてよい。例えば、コンピュータ可読媒体は、ROM（Read−Only Memory、ROM）、RAM（Random Access Memory）、EEPROM、別のコンパクトディスクもしくは磁気ディスク記憶媒体もしくは別の磁気記憶装置、または命令もしくはデータ構造形態を有する予期されるプログラムコードを搬送または格納するのに使用することができ、コンピュータがアクセスすることのできる任意の他の媒体を含んでいてよい。
【０１５５】
要約すると、以上の説明は、本発明の技術的解決策の実施形態の単なる例にすぎず、本発明の保護範囲を限定するためのものではない。本発明の趣旨および原理を逸脱することなくなされるあらゆる改変、等価の置換、または改善は、本発明の保護範囲内に含まれるものである。
【符号の説明】
【０１５６】
100  ウェアラブルデバイス
110  プロセッサ
120  画面
121  表示パネル
130  周囲光センサ
140  メモリ、FPCフレキシブル基板
141  表示パネル
150  入力部
151  タッチパネル
160  電源
170  RF回路
180  可聴周波数回路
1201  上面
1202  下面
1203  エポキシ樹脂接着層
1204  空洞化領域
1301  感光素子
【図１】
0006727622.tif 000002
【図２】
0006727622.tif 000003
【図３】
0006727622.tif 000004
【図４】
0006727622.tif 000005
【図５】
0006727622.tif 000006
【図６】
0006727622.tif 000007
【図７】
0006727622.tif 000008